(57)【要約】【課題】  流路の下流側に位置する開口から貯蔵室に吹き出す冷気の流量が少なくなることを抑制する。【解決手段】  貯蔵室を有する冷蔵庫は、前記貯蔵室の前側開口を開閉する扉と、前記貯蔵室の後面を画定する第１後側部材と、前記第１後側部材よりも後側に配置されており、前記第１後側部材との間に冷気が流れる流路を画定する第２後側部材と、を備え、前記流路を流れる冷気を前記貯蔵室に吹き出すために開口している第１開口と、前記第１開口よりも前記流路の下流側の位置で前記流路を流れる冷気を前記貯蔵室に吹き出すために開口している第２開口と、前記第２開口よりも前記流路の下流側の位置で前記流路を流れる冷気を前記貯蔵室に吹き出すために開口している第３開口と、が形成されており、前記第１開口と前記第２開口との間の距離は、前記第２開口と前記第３開口との間の距離よりも長くてもよい。【選択図】  図４
2020118387.tif 000002
【特許請求の範囲】
【請求項１】
貯蔵室を有する冷蔵庫であって、
前記貯蔵室の前側開口を開閉する扉と、
前記貯蔵室の後面を画定する第１後側部材と、
前記第１後側部材よりも後側に配置されており、前記第１後側部材との間に冷気が流れる流路を画定する第２後側部材と、を備え、
前記流路を流れる冷気を前記貯蔵室に吹き出すために開口している第１開口と、
前記第１開口よりも前記流路の下流側の位置で前記流路を流れる冷気を前記貯蔵室に吹き出すために開口している第２開口と、
前記第２開口よりも前記流路の下流側の位置で前記流路を流れる冷気を前記貯蔵室に吹き出すために開口している第３開口と、が形成されており、
前記第１開口と前記第２開口との間の距離は、前記第２開口と前記第３開口との間の距離よりも長い、冷蔵庫。
【請求項２】
前記第１開口よりも前記流路の上流側の位置で前記流路を流れる冷気を前記貯蔵室に吹き出すために開口している上流側開口が形成されており、
前記貯蔵室を正面視したとき、前記第１開口と前記第２開口と前記第３開口と前記上流側開口とは、前記貯蔵室の左右方向に延びており、
前記上流側開口の左右方向の幅は、前記第１開口と前記第２開口と前記第３開口との左右方向の幅よりも短い、請求項１に記載の冷蔵庫。
【請求項３】
前記第３開口よりも前記流路の下流側の位置で前記流路を流れる冷気を前記貯蔵室に吹き出すために開口している第１下流側開口と、
前記第１下流側開口よりも前記流路の下流側の位置で前記流路を流れる冷気を前記貯蔵室に吹き出すために開口している第２下流側開口と、
前記第２下流側開口よりも前記流路の下流側の位置で前記流路を流れる冷気を前記貯蔵室に吹き出すために開口している第３下流側開口と、が形成されており、
前記第１下流側開口と前記第２下流側開口との間の距離は、前記第２下流側開口と前記第３下流側開口との間の距離よりも長い、請求項１又は２に記載の冷蔵庫。
【請求項４】
前記第２開口と前記第３開口との間に位置する面が平坦面である、請求項１から３のいずれか一項に記載の冷蔵庫。
【請求項５】
前記第１開口と前記第２開口との間に位置する面は、前記第２開口と前記第３開口との間に位置する面よりも起伏している、請求項１から４のいずれか一項に記載の冷蔵庫。
【請求項６】
前記第１後側部材に固定されている第１案内部材であって、前記流路を流れる冷気を前記第１開口に案内する前記第１案内部材と、
前記第１後側部材に固定されている第２案内部材であって、前記流路を流れる冷気を前記第２開口に案内する前記第２案内部材と、
前記第１後側部材に固定されている第３案内部材であって、前記流路を流れる冷気を前記第３開口に案内する前記第３案内部材と、をさらに備える、請求項１から５のいずれか一項に記載の冷蔵庫。
【請求項７】
前記第１開口よりも前記流路の上流側の位置で前記流路を流れる冷気を前記貯蔵室に吹き出すために開口している上流側開口であって、案内部材に覆われていない前記上流側開口が形成されている、請求項１から６のいずれか一項に記載の冷蔵庫。
【請求項８】
前記第１開口よりも前記流路の上流側の位置で前記流路を流れる冷気を前記貯蔵室に吹き出すために開口している上流側開口が形成されており、
前記第１後側部材に固定されている上流側案内部材であって、前記流路を流れる冷気を前記上流側開口に案内する前記上流側案内部材をさらに備え、
前記上流側案内部材の先端部と前記第１後側部材との間の距離は、前記第１案内部材の先端部と前記第１後側部材との間の距離よりも短い、請求項６に記載の冷蔵庫。
【請求項９】
前記第２案内部材の先端部と前記第１後側部材との間の距離は、前記第１案内部材の先端部と前記第１後側部材との間の距離よりも長い、請求項６に記載の冷蔵庫。
【請求項１０】
前記貯蔵室に収容される食品が載置される第１載置棚と第２載置棚とをさらに備え、
前記流路の上流側から下流側に向かう方向において、前記第１開口と前記第２開口と前記第３開口とは、前記第１載置棚と前記第２載置棚との間に位置している、請求項１から９のいずれか一項に記載の冷蔵庫。
【発明の詳細な説明】
【技術分野】
【０００１】
本明細書は、冷蔵庫に関する。
【背景技術】
【０００２】
特許文献１に開示される冷蔵庫は、冷蔵室を有する筐体と、冷蔵室の前側開口を開閉する扉と、冷蔵室の後面を画定する第１後側部材と、を備える。第１後側部材と第１後側部材よりも後側に配置されている部分の筐体との間には、冷気が流れる流路が画定されている。第１後側部材には、流路を流れる冷気を冷蔵室に吹き出すために開口している複数の開口が形成されている。複数の開口は、流路の上流側から下流側に向かって並んでいる。
【先行技術文献】
【特許文献】
【０００３】
【特許文献１】特開２０１５−６８５１０号公報
【発明の概要】
【発明が解決しようとする課題】
【０００４】
従来の技術では、流路の下流側に位置する開口ほど、その開口から冷蔵室に吹き出る冷気の流量が少なくなる。本明細書では、流路の下流側に位置する開口から貯蔵室に吹き出す冷気の流量が少なくなることを抑制する技術を開示する。
【課題を解決するための手段】
【０００５】
冷蔵庫は、貯蔵室を有する。前記冷蔵庫は、前記貯蔵室の前側開口を開閉する扉と、前記貯蔵室の後面を画定する第１後側部材と、前記第１後側部材よりも後側に配置されており、前記第１後側部材との間に冷気が流れる流路を画定する第２後側部材と、を備え、前記流路を流れる冷気を前記貯蔵室に吹き出すために開口している第１開口と、前記第１開口よりも前記流路の下流側の位置で前記流路を流れる冷気を前記貯蔵室に吹き出すために開口している第２開口と、前記第２開口よりも前記流路の下流側の位置で前記流路を流れる冷気を前記貯蔵室に吹き出すために開口している第３開口と、が形成されており、前記第１開口と前記第２開口との間の距離は、前記第２開口と前記第３開口との間の距離よりも長い。
【図面の簡単な説明】
【０００６】
【図１】第１実施例の冷蔵庫の縦断面図である。
【図２】第１実施例の冷蔵庫の冷蔵室を正面から視た図である。
【図３】図１の二点鎖線IIIで囲まれる領域を拡大した図である。
【図４】図１の二点鎖線IVで囲まれる領域を拡大した図である。
【図５】図１の二点鎖線Vで囲まれる領域を拡大した図である。
【図６】第２実施例の第１後側部材の断面図である。
【発明を実施するための形態】
【０００７】
（第１実施例）
図１から図５を参照して、冷蔵庫１０を説明する。冷蔵庫１０は、筐体１２と、複数の扉３０、３２、３４、３６と、載置棚１００、１０２、１０４、１０６と、扉ポケット４４、４６、４８と、冷却器４０と、ファン４２と、を備える。筐体１２は、断熱性を有する。図１に示すように、筐体１２は、その内部に、第１冷凍室２０と、第２冷凍室２２と、野菜室２４と、冷蔵室２６と、を有する。第１冷凍室２０と第２冷凍室２２とは、冷凍温度帯の貯蔵室であり、野菜室２４と冷蔵室２６は、冷蔵温度帯の貯蔵室である。
【０００８】
各貯蔵室は、下から上に向かって、第１冷凍室２０、第２冷凍室２２、野菜室２４、冷蔵室２６の順に並んでいる。第１冷凍室２０の前側開口２０ａは、引き出し式の扉３０によって開閉される。第１冷凍室２０には、食品を収容する収容容器が配置されている。第２冷凍室２２の前側開口２２ａは、引き出し式の扉３２によって開閉される。第２冷凍室２２には、食品を収容する収容容器が配置されている。野菜室２４の前側開口２４ａは、引き出し式の扉３４によって開閉される。野菜室２４には、食品を収容する収容容器が配置されている。冷蔵室２６の前側開口２６ａは、左右一対の扉３６によって閉塞される。冷蔵室２６には、食品が載置される載置棚１００、１０２、１０４、１０６が配置されている。載置棚１００、１０２、１０４、１０６については、後で詳しく説明する。
【０００９】
扉ポケット４４、４６、４８は、左右一対の扉３６の冷蔵室２６側の面に固定されている。扉ポケット４４、４６、４８は、樹脂材料で作製されている。扉ポケット４４、４６、４８のそれぞれには、食品が収容される。扉ポケット４４、４６、４８の上下方向の位置については、後で詳しく説明する。
【００１０】
筐体１２は、内部に冷却器室２８をさらに有する。冷却器室２８は、野菜室２４と冷蔵室２６との後側に形成されている。冷却器室２８の後面は、筐体１２の後壁部によって画定されている。以下では、この筐体１２の後壁部を第２後側部材１２ａと呼ぶ。冷却器室２８には、冷却器４０とファン４２とが配置されている。冷却器４０は、冷却器室２８の空気を冷却する。ファン４２は、図示省略のファンモータの駆動によって回転する。これにより、冷却器室２８の空気（即ち冷気）が圧送される。
【００１１】
冷蔵庫１０は、第１後側部材５２をさらに備える。第１後側部材５２は、冷却器室２８の上側に配置されている。第１後側部材５２は、樹脂材料で作製されている。第１後側部材５２は、冷蔵室２６の後面２６ｂを画定している。第１後側部材５２は、冷蔵室２６よりも第２後側部材１２ａ側に配置されている。第１後側部材５２よりも後側に第２後側部材１２ａが配置されている。第１後側部材５２は、第２後側部材１２ａの冷蔵室２６側の面を前方から覆っている。第１後側部材５２と第２後側部材１２ａとの間に隙間が形成されている。以下では、この隙間を流路５４と呼ぶ。
【００１２】
流路５４は、第１後側部材５２と第２後側部材１２ａとによって画定されている。流路５４は、冷却器室２８に連通している。流路５４には、冷却器室２８からファン４２によって圧送された冷気が送られる。流路５４は、上下方向に延びている。流路５４には、冷気が上流側から下流側に向かって流れる。
【００１３】
第１後側部材５２と第２後側部材１２ａとの間には、上部開口６０が形成されている。上部開口６０は、第１後側部材５２の上端に位置している。上部開口６０は、流路５４の最下流に位置する開口である。上部開口６０によって、流路５４と冷蔵室２６とは連通している。上部開口６０は、流路５４の最下流まで流れた冷気を冷蔵室２６に向かって吹き出すために開口している。
【００１４】
第１後側部材５２は、第１開口６２と、第２開口６４と、第３開口６６と、第１上流側開口６８と、第２上流側開口７０と、第３上流側開口７２と、第１下流側開口７４と、第２下流側開口７６と、第３下流側開口７８と、を有する。各開口６２、６４、６６、６８、７０、７２、７４、７６、７８は、第１後側部材５２に形成されている。各開口６２、６４、６６、６８、７０、７２、７４、７６、７８は、第１後側部材５２を貫通している。各開口６２、６４、６６、６８、７０、７２、７４、７６、７８によって、流路５４と冷蔵室２６とは連通している。各開口６２、６４、６６、６８、７０、７２、７４、７６、７８は、流路５４を流れる冷気を冷蔵室２６に吹き出すために開口している。流路５４の上流側から下流側に向かって、第１上流側開口６８、第２上流側開口７０、第３上流側開口７２、第１開口６２、第２開口６４、第３開口６６、第１下流側開口７４、第２下流側開口７６、第３下流側開口７８の順に並んでいる。
【００１５】
図２に示すように、冷蔵室２６を正面視したとき、第１開口６２と第２開口６４と第３開口６６と第１上流側開口６８と第２上流側開口７０と第３上流側開口７２と第１下流側開口７４と第２下流側開口７６と第３下流側開口７８とは、左右方向に延びている。第１開口６２と第２開口６４と第３開口６６と第１下流側開口７４と第２下流側開口７６と第３下流側開口７８との左右方向の幅Ｗ１のそれぞれは等しい。第１上流側開口６８と第２上流側開口７０と第３上流側開口７２との左右方向の幅Ｗ２のそれぞれは等しい。第１上流側開口６８と第２上流側開口７０と第３上流側開口７２との左右方向の幅Ｗ２は、第１開口６２と第２開口６４と第３開口６６と第１下流側開口７４と第２下流側開口７６と第３下流側開口７８との左右方向の幅Ｗ１よりも短い。
【００１６】
図４に示すように、第２開口６４は、第１開口６２よりも流路５４の下流側に位置している。第２開口６４は、第１開口６２と距離Ｌ１だけ離れている。第３開口６６は、第２開口６４よりも流路５４の下流側に位置している。第３開口６６は、第２開口６４と距離Ｌ２だけ離れている。第１開口６２と第２開口６４との間の距離Ｌ１は、第２開口６４と第３開口６６との間の距離Ｌ２よりも大きい。第１開口６２と第２開口６４との間の距離Ｌ１は、第１開口６２の上端部から第２開口６４の下端部までの距離である。第２開口６４と第３開口６６との間の距離Ｌ２は、第２開口６４の上端部から第３開口６６の下端部までの距離である。第２開口６４は、第１開口６２よりも第３開口６６側に位置している。
【００１７】
第１開口６２と第２開口６４との間における第１後側部材５２の冷蔵室２６側の面５２ａは、起伏している。起伏とは、平面度が１ｍｍ以上であることを表す。面５２ａは、第２開口６４と第３開口６６との間における第１後側部材５２の冷蔵室２６側の面５２ｂよりも起伏している。面５２ｂは、平坦面である。平坦とは、平面度が１ｍｍよりも小さいことを表す。なお、変形例では、面５２ｂは平坦面でなくてもよい。
【００１８】
図２に示すように、第１上流側開口６８と第２上流側開口７０と第３上流側開口７２とは、第１開口６２よりも流路５４の上流側に位置している。第１上流側開口６８は、流路５４の最上流側に位置する開口である。図３に示すように、第２上流側開口７０は、第１上流側開口６８よりも流路５４の下流側に位置している。第２上流側開口７０は、第１上流側開口６８と距離Ｌ３だけ離れている。第１上流側開口６８と第２上流側開口７０との間の距離Ｌ３は、第１開口６２と第２開口６４との間の距離Ｌ１よりも長い。第１上流側開口６８と第２上流側開口７０との間の距離Ｌ３は、第１上流側開口６８の上端部から第２上流側開口７０の下端部までの距離である。
【００１９】
第３上流側開口７２は、第２上流側開口７０よりも流路５４の下流側に位置している。また、第３上流側開口７２は、第２上流側開口７０と距離Ｌ４だけ離れている。第１上流側開口６８と第２上流側開口７０との間の距離Ｌ３は、第２上流側開口７０と第３上流側開口７２との間の距離Ｌ４よりも長い。第２上流側開口７０は、第１上流側開口６８よりも第３上流側開口７２側に位置している。距離Ｌ４は、第２開口６４と第３開口６６との間の距離Ｌ２よりも長い。第２上流側開口７０と第３上流側開口７２との間の距離Ｌ４は、第２上流側開口７０の上端部から第３上流側開口７２の下端部までの距離である。図１に示すように、第３上流側開口７２と第１開口６２との間の距離は、第１上流側開口６８と第２上流側開口７０との間の距離Ｌ３よりも長い。第３上流側開口７２と第１開口６２との距離は、第３上流側開口７２の上端部から第１開口６２の下端部までの距離である。
【００２０】
図３に示すように、第１上流側開口６８と第２上流側開口７０との間における第１後側部材５２の冷蔵室２６側の面５２ｃと、第２上流側開口７０と第３上流側開口７２との間における第１後側部材５２の冷蔵室２６側の面５２ｄは、起伏している。面５２ｃの平面度は、面５２ｄの平面度と等しい。
【００２１】
図１に示すように、第１下流側開口７４は、第３開口６６よりも流路５４の下流側に位置している。第３開口６６と第１下流側開口７４との間の距離は、第３上流側開口７２と第１開口６２との間の距離よりも短く、第１上流側開口６８と第２上流側開口７０との間の距離Ｌ３よりも長い。第３開口６６と第１下流側開口７４との間の距離は、第３開口６６の上端部と第１下流側開口７４の下端部との間の距離である。
【００２２】
図５に示すように、第２下流側開口７６は、第１下流側開口７４よりも流路５４の下流側に位置している。第２下流側開口７６は、第１下流側開口７４と距離Ｌ５だけ離れている。第１下流側開口７４と第２下流側開口７６との間の距離Ｌ５は、第１開口６２と第２開口６４との間の距離Ｌ１と等しい。第１下流側開口７４と第２下流側開口７６との間の距離Ｌ５は、第１下流側開口７４の上端部から第２下流側開口７６の下端部までの距離である。なお、変形例では、距離Ｌ５は、距離Ｌ１よりも短くてもよい。
【００２３】
また、第３下流側開口７８は、第２下流側開口７６よりも流路５４の下流側に位置している。第３下流側開口７８は、上部開口６０よりも流路５４の上流側に位置している。第３下流側開口７８は、第２下流側開口７６と距離Ｌ６だけ離れている。第１下流側開口７４と第２下流側開口７６との間の距離Ｌ５は、第２下流側開口７６と第３下流側開口７８との間の距離Ｌ６よりも大きい。第２下流側開口７６は、第１下流側開口７４よりも第３下流側開口７８側に位置している。また、距離Ｌ６は、第２開口６４と第３開口６６との間の距離Ｌ２と等しい。第２下流側開口７６と第３下流側開口７８との間の距離Ｌ６は、第２下流側開口７６の上端部から第３下流側開口７８の下端部までの距離である。なお、変形例では、距離Ｌ６は、距離Ｌ２よりも短くてもよい。
【００２４】
第１下流側開口７４と第２下流側開口７６との間における第１後側部材５２の冷蔵室２６側の面５２ｅは、起伏している。面５２ｅの平面度は、第１開口６２と第２開口６４との間における第１後側部材５２の冷蔵室２６側の面５２ａの平面度と等しい。面５２ｅは、第２下流側開口７６と第３下流側開口７８との間における第１後側部材５２の冷蔵室２６側の面５２ｆよりも起伏している。面５２ｆは、平坦面である。なお、変形例では、面５２ｆは、平坦面でなくてもよい。
【００２５】
冷蔵庫１０は、第１案内部材８２と、第２案内部材８４と、第３案内部材８６と、第１下流側案内部材９４と、第２下流側案内部材９６と、第３下流側案内部材９８と、をさらに備える。各案内部材８２、８４、８６、９４、９６、９８は、樹脂材料で作製されている。図４及び図５に示すように、各案内部材８２、８４、８６、９４、９６、９８は、流路５４に配置されている。各案内部材８２、８４、８６、９４、９６、９８は、第１後側部材５２から流路５４の上流側に向かって傾斜して延びている。各案内部材８２、８４、８６、９４、９６、９８は、湾曲している。図示省略しているが、各案内部材８２、８４、８６、９４、９６、９８は、水平方向に延びている。
【００２６】
図４に示すように、第１案内部材８２は、第１開口６２を覆っている。第１案内部材８２は、流路５４の下流側における第１開口６２の縁部に沿って配置されている。第１案内部材８２の基部８２ａは、第１後側部材５２の流路５４側の面に固定されている。第１案内部材８２の先端部８２ｂは、第１後側部材５２の流路５４側の面から離れている。第１案内部材８２は、流路５４を流れる冷気を第１開口６２に案内する。これにより、流路５４を流れる冷気の一部は、第１案内部材８２に案内されて、第１開口６２から冷蔵室２６に吹き出る。
【００２７】
第２案内部材８４は、第２開口６４を覆っている。第２案内部材８４は、流路５４の下流側における第２開口６４の縁部に沿って配置されている。第２案内部材８４の基部８４ａは、第１後側部材５２の流路５４側の面に固定されている。第２案内部材８４の先端部８４ｂは、第１後側部材５２の流路５４側の面から離れている。第２案内部材８４は、流路５４を流れる冷気を第２開口６４に案内する。これにより、流路５４を流れる冷気の一部は、第２案内部材８４に案内されて、第２開口６４から冷蔵室２６に吹き出る。第２案内部材８４の先端部８４ｂと第１後側部材５２との間の距離Ｄ２は、第１案内部材８２の先端部８２ｂと第１後側部材５２との間の距離Ｄ１よりも長い。
【００２８】
第３案内部材８６は、第３開口６６を覆っている。第３案内部材８６は、流路５４の下流側における第３開口６６の縁部に沿って配置されている。第３案内部材８６の基部８６ａは、第１後側部材５２の流路５４側の面に固定されている。第３案内部材８６の先端部８６ｂは、第１後側部材５２の流路５４側の面から離れている。第３案内部材８６は、流路５４を流れる冷気を第３開口６６に案内する。これにより、流路５４を流れる冷気の一部は、第３案内部材８６に案内されて、第３開口６６から冷蔵室２６に吹き出る。第３案内部材８６の先端部８６ｂと第１後側部材５２との間の距離は、第２案内部材８４の先端部８４ｂと第１後側部材５２との間の距離Ｄ２よりも僅かに短い。なお、変形例では、第３案内部材８６の先端部８６ｂと第１後側部材５２との間の距離は、距離Ｄ２以上であってもよい。
【００２９】
図５に示すように、第１下流側案内部材９４は、第１下流側開口７４を覆っている。第１下流側案内部材９４は、流路５４の下流側における第１下流側開口７４の縁部に沿って配置されている。第１下流側案内部材９４の基部９４ａは、第１後側部材５２の流路５４側の面に固定されている。第１下流側案内部材９４の先端部９４ｂは、第１後側部材５２の流路５４側の面から離れている。第１下流側案内部材９４は、流路５４を流れる冷気を第１下流側開口７４に案内する。これにより、流路５４を流れる冷気の一部は、第１下流側案内部材９４に案内されて、第１下流側開口７４から冷蔵室２６に吹き出る。第１下流側案内部材９４の先端部９４ｂと第１後側部材５２との間の距離Ｄ３は、第２案内部材８４の先端部８４ｂと第１後側部材５２との間の距離Ｄ２と等しい。なお、変形例では、距離Ｄ３は、距離Ｄ２よりも長くてもよい。
【００３０】
第２下流側案内部材９６は、第２下流側開口７６を覆っている。第２下流側案内部材９６は、流路５４の下流側における第２下流側開口７６の縁部に沿って配置されている。第２下流側案内部材９６の基部９６ａは、第１後側部材５２の流路５４側の面に固定されている。第２下流側案内部材９６の先端部９６ｂは、第１後側部材５２の流路５４側の面から離れている。第２下流側案内部材９６は、流路５４を流れる冷気を第２下流側開口７６に案内する。これにより、流路５４を流れる冷気の一部は、第２下流側案内部材９６に案内されて、第２下流側開口７６から冷蔵室２６に吹き出る。第２下流側案内部材９６の先端部９６ｂと第１後側部材５２との間の距離Ｄ４は、第１下流側案内部材９４の先端部９４ｂと第１後側部材５２との間の距離Ｄ３よりも長い。
【００３１】
第３下流側案内部材９８は、第３下流側開口７８を覆っている。第３下流側案内部材９８は、流路５４の下流側における第３下流側開口７８の縁部に沿って配置されている。第３下流側案内部材９８の基部９８ａは、第１後側部材５２の流路５４側の面に固定されている。第３下流側案内部材９８の先端部９８ｂは、第１後側部材５２の流路５４側の面から離れている。第３下流側案内部材９８は、流路５４を流れる冷気を第３下流側開口７８に案内する。これにより、流路５４を流れる冷気の一部は、第３下流側案内部材９８に案内されて、第３下流側開口７８から冷蔵室２６に吹き出る。第３下流側案内部材９８の先端部９８ｂと第１後側部材５２との間の距離は、第２下流側案内部材９６の先端部９６ｂと第１後側部材５２との間の距離Ｄ４よりも僅かに短い。なお、変形例では、第３下流側案内部材９８の先端部９８ｂと第１後側部材５２との間の距離は、距離Ｄ４以上であってもよい。
【００３２】
図３に示すように、第１上流側開口６８と第２上流側開口７０と第３上流側開口７２とは、上述したような案内部材に覆われていない。即ち、第１上流側開口６８と第２上流側開口７０と第３上流側開口７２に冷気が案内部材によって案内されない。このため、冷気は、流路５４と冷蔵室２６との圧力差にのみ基づいて、第１上流側開口６８と第２上流側開口７０と第３上流側開口７２とから冷蔵室２６に吹き出る。
【００３３】
次に、図１を参照して、載置棚１００、１０２、１０４、１０６を説明する。載置棚１００、１０２、１０４、１０６は、樹脂材料で作製されている。載置棚１００は、第１上流側開口６８よりも流路５４の上流側における第１後側部材５２に固定されている。載置棚１０２は、第３上流側開口７２よりも流路５４の下流側であり第１開口６２よりも流路５４の上流側における第１後側部材５２に取り外し可能に取り付けられている。流路５４の上流側から下流側に向かう方向において、載置棚１００と載置棚１０２との間に、第１上流側開口６８と第２上流側開口７０と第３上流側開口７２とが位置している。
【００３４】
載置棚１０４は、第３開口６６よりも流路５４の下流側であり第１下流側開口７４よりも流路５４の上流側における第１後側部材５２に取り外し可能に取り付けられている。流路５４の上流側から下流側に向かう方向において、載置棚１０２と載置棚１０４との間に、第１開口６２と第２開口６４と第３開口６６とが位置している。
【００３５】
載置棚１０６は、第３下流側開口７８よりも流路５４の下流側であり上部開口６０よりも流路５４の上流側における第１後側部材５２に取り外し可能に取り付けられている。流路５４の上流側から下流側に向かう方向において、載置棚１０４と載置棚１０６との間に、第１下流側開口７４と第２下流側開口７６と第３下流側開口７８とが位置している。また、載置棚１０６と筐体１２の上面との間に、上部開口６０が位置している。
【００３６】
次に、扉ポケット４４、４６、４８の上下方向の位置を説明する。扉ポケット４４、４６、４８は、上下方向に並んで配置されている。扉ポケット４４は、冷蔵室２６の下部に配置されている。流路５４の上流側から下流側に向かう方向において、扉ポケット４４は、第１上流側開口６８よりも流路５４の上流側に位置している。流路５４の上流側から下流側に向かう方向において、扉ポケット４６は、第３上流側開口７２よりも流路５４の下流側であり第２開口６４よりも流路５４の上流側に位置している。扉ポケット４８は、冷蔵室２６の上部に配置されている。流路５４の上流側から下流側に向かう方向において、扉ポケット４８は、第１下流側開口７４よりも流路５４の下流側であり上部開口６０よりも流路５４の上流側に位置している。
【００３７】
次に、冷蔵庫１０における冷気の流れを説明する。冷蔵庫１０では、ファン４２の駆動によって冷却器室２８から流路５４に送られた冷気の一部は、第１上流側開口６８と第２上流側開口７０と第３上流側開口７２とから、冷蔵室２６の空間２６ｃに吹き出る。空間２６ｃは、冷蔵室２６における載置棚１００と載置棚１０２との間の空間である。第１上流側開口６８と第２上流側開口７０と第３上流側開口７２とから吹き出た冷気は、冷蔵室２６の前側開口２６ａに向かって流れる。これにより、載置棚１００に載置された食品や扉ポケット４４に収容された食品が冷却される。
【００３８】
次に、第３上流側開口７２よりも流路５４の下流側に流れた冷気の一部は、第１案内部材８２と第２案内部材８４と第３案内部材８６とのそれぞれに案内される。その後、冷気は、第１開口６２と第２開口６４と第３開口６６とのそれぞれから、冷蔵室２６の空間２６ｄに吹き出る。空間２６ｄは、冷蔵室２６における載置棚１０２と載置棚１０４との間の空間である。第１開口６２から吹き出た冷気は、第１後側部材５２の面５２ａに沿って流れ、その後、冷蔵室２６の前側開口２６ａに向かって流れる。また、第２開口６４から吹き出た冷気は、第１後側部材５２の面５２ｂに沿って流れ、その後、冷蔵室２６の前側開口２６ａに向かって流れる。また、第３開口６６から吹き出た冷気は、冷蔵室２６の前側開口２６ａに向かって流れる。これらにより、載置棚１０２に載置された食品や扉ポケット４６に収容された食品が冷却される。
【００３９】
次いで、第３開口６６よりも流路５４の下流側に流れた冷気の一部は、第１下流側案内部材９４と第２下流側案内部材９６と第３下流側案内部材９８とのそれぞれに案内される。その後、冷気は、第１下流側開口７４と第２下流側開口７６と第３下流側開口７８とのそれぞれから、冷蔵室２６の空間２６ｅに吹き出る。空間２６ｅは、冷蔵室２６における載置棚１０４と載置棚１０６との間の空間である。第１下流側開口７４から吹き出た冷気は、第１後側部材５２の面５２ｅに沿って流れ、その後、冷蔵室２６の前側開口２６ａに向かって流れる。また、第２下流側開口７６から吹き出た冷気は、第１後側部材５２の面５２ｆに沿って流れ、その後、冷蔵室２６の前側開口２６ａに向かって流れる。また、第３下流側開口７８から吹き出た冷気は、冷蔵室２６の前側開口２６ａに向かって流れる。これらにより、載置棚１０４に載置された食品や扉ポケット４８に収容された食品が冷却される。
【００４０】
次いで、第３下流側開口７８よりも流路５４の下流側に流れた冷気の一部は、上部開口６０から冷蔵室２６の空間２６ｆに吹き出る。空間２６ｆは、冷蔵室２６における載置棚１０６と筐体１２の上面との間の空間である。これにより、載置棚１０６に載置された食品や扉ポケット４８に収容された食品が冷却される。
【００４１】
（効果）
上述したように、実施例に係る冷蔵庫１０では、第１開口６２と第２開口６４との間の距離Ｌ１が、第２開口６４と第３開口６６との間の距離Ｌ２よりも大きい。即ち、第２開口６４は、第１開口６２よりも第３開口６６側に位置している。このため、第２開口６４と第３開口６６とから、冷蔵室２６の空間２６ｄであって流路５４の下流側に位置する領域に吹き出す冷気の流量が少なくなることを抑制することができる。
【００４２】
第１上流側開口６８と第２上流側開口７０と第３上流側開口７２との左右方向の幅Ｗ２が、第１開口６２と第２開口６４と第３開口６６と第１下流側開口７４と第２下流側開口７６と第３下流側開口７８との左右方向の幅Ｗ１よりも短い。このため、幅Ｗ２が幅Ｗ１と等しい場合と比較して、流路５４のより上流側に位置する第１上流側開口６８と第２上流側開口７０と第３上流側開口７２から冷蔵室２６の空間２６ｃに吹き出る冷気の流量が少なくなる。この結果、第３上流側開口７２よりも下流側の流路５４に流れる冷気の流量が多くなる。これにより、第３上流側開口７２よりも流路５４の下流側に位置する第１開口６２と第２開口６４と第３開口６６と第１下流側開口７４と第２下流側開口７６と第３下流側開口７８とから冷蔵室２６に吹き出る冷気の流量を多くすることができる。
【００４３】
また、第１上流側開口６８と第２上流側開口７０と第３上流側開口７２とは、案内部材によって覆われていない。このため、冷気は、流路５４と冷蔵室２６との圧力差にのみ基づいて、第１上流側開口６８と第２上流側開口７０と第３上流側開口７２とから冷蔵室２６に吹き出る。この結果、第１上流側開口６８と第２上流側開口７０と第３上流側開口７２とが案内部材によって覆われている場合と比較して、第１上流側開口６８と第２上流側開口７０と第３上流側開口７２とから冷蔵室２６の空間２６ｃに吹き出る冷気の流量が少なくなる。これにより、第３上流側開口７２よりも下流側の流路５４に流れる冷気の流量がさらに多くなる。この結果、第３上流側開口７２よりも流路５４の下流側に位置する第１開口６２と第２開口６４と第３開口６６と第１下流側開口７４と第２下流側開口７６と第３下流側開口７８とから冷蔵室２６に吹き出る冷気の流量をさらに多くすることができる。
【００４４】
また、第１開口６２と第２開口６４と第３開口６６とのそれぞれは、第１案内部材８２と第２案内部材８４と第３案内部材８６とのそれぞれに覆われている。このため、第１案内部材８２と第２案内部材８４と第３案内部材８６とのそれぞれによって、冷気は、第１開口６２と第２開口６４と第３開口６６とのそれぞれに案内される。この結果、冷気を第１開口６２と第２開口６４と第３開口６６とのそれぞれから冷蔵室２６の空間２６ｄに効率良く吹き出すことができる。
【００４５】
また、第２案内部材８４の先端部８４ｂと第１後側部材５２との間の距離Ｄ２は、第１案内部材８２の先端部８２ｂと第１後側部材５２との間の距離Ｄ１よりも長い。このため、第１開口６２から冷気が吹き出すことによって第１開口６２よりも流路５４の下流側に流れる冷気の流量が少なくなっても、第２案内部材８４の先端部８４ｂと第１後側部材５２との間を通る冷気の流量を確保することができる。この結果、第２開口６４から冷蔵室２６の空間２６ｄに吹き出す冷気の流量が少なくなることを抑制することができる。
【００４６】
また、第１下流側開口７４と第２下流側開口７６との間の距離Ｌ５は、第２下流側開口７６と第３下流側開口７８との間の距離Ｌ６よりも長い。この距離Ｌ５及び距離Ｌ６の関係は、第１開口６２と第２開口６４との間の距離Ｌ１及び第２開口６４と第３開口６６との間の距離Ｌ２の関係と同様である。このため、第２下流側開口７６と第３下流側開口７８とから、冷蔵室２６の空間２６ｅであって流路５４の下流側に位置する領域に吹き出す冷気の流量が少なくなることを抑制することができる。
【００４７】
また、第１下流側開口７４と第２下流側開口７６と第３下流側開口７８とのそれぞれは、第１下流側案内部材９４と第２下流側案内部材９６と第３下流側案内部材９８とのそれぞれに覆われている。このため、第１下流側案内部材９４と第２下流側案内部材９６と第３下流側案内部材９８とのそれぞれによって、冷気は、第１下流側開口７４と第２下流側開口７６と第３下流側開口７８とのそれぞれに案内される。この結果、冷気を第１下流側開口７４と第２下流側開口７６と第３下流側開口７８とのそれぞれから冷蔵室２６の空間２６ｅに効率良く吹き出すことができる。
【００４８】
また、第２下流側案内部材９６の先端部９６ｂと第１後側部材５２との間の距離Ｄ４は、第１下流側案内部材９４の先端部９４ｂと第１後側部材５２との間の距離Ｄ３よりも長い。この距離Ｌ５及び距離Ｌ６の関係は、第１案内部材８２の先端部８２ｂと第１後側部材５２との間の距離Ｌ１及び第２案内部材８４の先端部８４ｂと第１後側部材５２との間の距離Ｌ２の関係と同様である。このため、第２下流側開口７６から冷蔵室２６の空間２６ｅに吹き出す冷気の流量が少なくなることを抑制することができる。
【００４９】
また、第１後側部材５２の面５２ｂは平坦面である。このため、冷気の流れを妨げる抵抗は極めて小さい。この結果、第２開口６４から吹き出た冷気の流速が小さくなることを抑制することができる。これにより、冷気が冷蔵室２６の空間２６ｄの第１後側部材５２側に滞留することを抑制することができる。
【００５０】
また、第１後側部材５２の面５２ａは、第１後側部材５２の面５２ｂよりも起伏している。このため、第１開口６２から吹き出た冷気の流速は、第２開口６４から吹き出た冷気の流速に近づく。この結果、冷蔵室２６の空間２６ｄでの冷気の流速ムラが小さくなる。これにより、冷蔵室２６の空間２６ｄを均一に冷却することができる。
【００５１】
また、第１後側部材５２の面５２ｆは平坦面である。このため、冷気の流れを妨げる抵抗は極めて小さい。この結果、第２下流側開口７６から吹き出た冷気の流速が小さくなることを抑制することができる。これにより、冷気が冷蔵室２６の空間２６ｅの第１後側部材５２側に滞留することを抑制することができる。
【００５２】
また、第１後側部材５２の面５２ｅは、第１後側部材５２の面５２ｆよりも起伏している。面５２ｅ、５２ｆにおける平面度の関係は、面５２ａ、５２ｂにおける平面度の関係と同様である。このため、冷蔵室２６の空間２６ｅを均一に冷却することができる。
【００５３】
（対応関係）
第１上流側開口６８と第２上流側開口７０と第３上流側開口７２とが、「上流側開口」の一例であり、載置棚１０２が、「第１載置棚」の一例であり、載置棚１０４が、「第２載置棚」の一例である。
【００５４】
（第２実施例）
図６を参照して、第２実施例を説明する。第２実施例では、第１実施例と異なる点を説明し、第１実施例と同様の点については同様の符号を付して説明を省略する。図６に示すように、第２実施例の冷蔵庫１０は、第１上流側案内部材１８８と、第２上流側案内部材１９０と、第３上流側案内部材１９２と、をさらに備える。図６では、第１後側部材５２の第１上流側開口６８と第２上流側開口７０と第３上流側開口７２とが位置する領域が拡大されている。各案内部材１８８、１９０、１９２は、樹脂材料で作製されている。各案内部材１８８、１９０、１９２は、流路５４に配置されている。各案内部材１８８、１９０、１９２は、第１後側部材５２から流路５４の上流側に向かって傾斜して延びている。各案内部材１８８、１９０、１９２は、湾曲している。図示省略しているが、各案内部材１８８、１９０、１９２は、水平方向に延びている。
【００５５】
第１上流側案内部材１８８は、第１上流側開口６８を覆っている。第１上流側案内部材１８８は、流路５４の下流側における第１上流側開口６８の縁部に沿って配置されている。第１上流側案内部材１８８の基部１８８ａは、第１後側部材５２の流路５４側の面に固定されている。第１上流側案内部材１８８の先端部１８８ｂは、第１後側部材５２の流路５４側の面から離れている。第１上流側案内部材１８８は、流路５４を流れる冷気を第１上流側開口６８に案内する。これにより、流路５４を流れる冷気の一部は、第１上流側案内部材１８８に案内されて、第１上流側開口１６８から冷蔵室２６に吹き出る。第１上流側案内部材１８８の先端部１８８ｂと第１後側部材５２との間の距離Ｄ５は、第１案内部材８２の先端部８２ｂと第１後側部材５２との間の距離Ｄ１よりも短い。
【００５６】
第２上流側案内部材１９０は、第２上流側開口７０を覆っている。第２上流側案内部材１９０は、流路５４の下流側における第２上流側開口７０の縁部に沿って配置されている。第２上流側案内部材１９０の基部１９０ａは、第１後側部材５２の流路５４側の面に固定されている。第２上流側案内部材１９０の先端部１９０ｂは、第１後側部材５２の流路５４側の面から離れている。第２上流側案内部材１９０は、流路５４を流れる冷気を第２上流側開口７０に案内する。これにより、流路５４を流れる冷気の一部は、第２上流側案内部材１９０に案内されて、第２上流側開口７０から冷蔵室２６に吹き出る。第２上流側案内部材１９０の先端部１９０ｂと第１後側部材５２との間の距離Ｄ６は、第１案内部材８２の先端部８２ｂと第１後側部材５２との間の距離Ｄ１よりも短く、第１上流側案内部材１８８の先端部１８８ｂと第１後側部材５２との間の距離Ｄ５よりも長い。
【００５７】
第３上流側案内部材１９２は、第３上流側開口７２を覆っている。第３上流側案内部材１９２は、流路５４の下流側における第３上流側開口７２の縁部に沿って配置されている。第３上流側案内部材１９２の基部１９２ａは、第１後側部材５２の流路５４側の面に固定されている。第３上流側案内部材１９２の先端部１９０ｂは、第１後側部材５２の流路５４側の面から離れている。第３上流側案内部材１９２は、流路５４を流れる冷気を第３上流側開口７２に案内する。これにより、流路５４を流れる冷気の一部は、第３上流側案内部材１９２に案内されて、第３上流側開口７２から冷蔵室２６に吹き出る。第３上流側案内部材１９２は、第２上流側案内部材１９０と同様の形状を有する。このため、第３上流側案内部材１９２の先端部１９２ｂと第１後側部材５２との間の距離Ｄ７は、第２上流側案内部材１９０の先端部１９０ｂと第１後側部材５２との間の距離Ｄ６と同様である。なお、変形例では、距離Ｄ７は、距離Ｄ６よりも長くてもよい。この場合、距離Ｄ７は、第１案内部材８２の先端部８２ｂと第１後側部材５２との間の距離Ｄ１よりも短い。
【００５８】
（効果）
上述したように、第３上流側案内部材１９２の先端部１９２ｂと第１後側部材５２との間の距離Ｄ７は、第１案内部材８２の先端部８２ｂと第１後側部材５２との間の距離Ｄ１よりも短い。このため、第３上流側開口７２から冷気が吹き出すことによって第３上流側開口７２よりも流路５４の下流側に流れる冷気の流量が少なくなっても、第１案内部材８２の先端部８２ｂと第１後側部材５２との間を通る冷気の流量を確保することができる。この結果、第１開口６２から冷蔵室２６の空間２６ｄに吹き出す冷気の流量が少なくなることを抑制することができる。
【００５９】
第２上流側案内部材１９０の先端部１９０ｂと第１後側部材５２との間の距離Ｄ６は、第１上流側案内部材１８８の先端部１８８ｂと第１後側部材５２との間の距離Ｄ５よりも長い。このため、第１上流側開口６８から冷気が吹き出すことによって第１上流側開口６８よりも流路５４の下流側に流れる冷気の流量が少なくなっても、第２上流側案内部材１９０の先端部１９０ｂと第１後側部材５２との間を通る冷気の流量を確保することができる。この結果、第２上流側開口７０から冷蔵室２６の空間２６ｃに吹き出す冷気の流量が少なくなることを抑制することができる。
【００６０】
（対応関係）
第１上流側案内部材１８８と第２上流側案内部材１９０と第３上流側案内部材１９２とが、「上流側案内部材」の一例である。
【００６１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００６２】
１０    ：冷蔵庫
１２    ：筐体
１２ａ  ：第２後側部材
２０    ：第１冷凍室
２０ａ、２２ａ、２４ａ、２６ａ：前側開口
２２    ：第２冷凍室
２４    ：野菜室
２６    ：冷蔵室
２６ｂ  ：後面
２６ｃ、２６ｄ、２６ｅ、２６ｆ：空間
２８    ：冷却器室
３０、３２、３４、４６：扉
４０    ：冷却器
４２    ：ファン
４４、４６、４８：扉ポケット
５２    ：第１後側部材
５４    ：流路
６０    ：上部開口
６２    ：第１開口
６４    ：第２開口
６６    ：第３開口
６８    ：第１上流側開口
７０    ：第２上流側開口
７２    ：第３上流側開口
７４    ：第１下流側開口
７６    ：第２下流側開口
７８    ：第３下流側開口
８２    ：第１案内部材
８４    ：第２案内部材
８６    ：第３案内部材
９４    ：第１下流側案内部材
９６    ：第２下流側案内部材
９８    ：第３下流側案内部材
１００、１０２、１０４、１０６：載置棚
【図１】
2020118387.tif 000003
【図２】
2020118387.tif 000004
【図３】
2020118387.tif 000005
【図４】
2020118387.tif 000006
【図５】
2020118387.tif 000007
【図６】
2020118387.tif 000008